(57)【要約】      （修正有）【課題】子供が泣き出した場合に大人の手を煩わせることなく子供を泣き止ますことができ利便性の高い映像音声機器を提供する。【解決手段】表示部５および音声出力部８の少なくともいずれかと、子供が泣いているか否かを検出する検出部４５とを備えた映像音声機器１００において、前記検出部４５が子供が泣いていることを検出すると、前記検出部４５が子供が泣いていないことを検出するまで映像信号および／または音声信号を順次切替えて前記表示部５および／または前記音声出力部８に出力する制御を行う制御部１３を備えた構成とした。【選択図】図１
2012061933.tif 000002
【特許請求の範囲】
【請求項１】
表示部および音声出力部の少なくともいずれかと、子供が泣いているか否かを検出する検出部とを備えた映像音声機器において、
前記検出部が子供が泣いていることを検出すると、前記検出部が子供が泣いていないことを検出するまで映像信号および／または音声信号を順次切替えて前記表示部および／または前記音声出力部に出力する制御を行う制御部を備えたことを特徴とする映像音声機器。
【請求項２】
前記映像信号および／または前記音声信号は、保存部に保存されたコンテンツの映像信号および／または音声信号か、テレビ放送番組の映像信号および音声信号か、ラジオ放送番組の音声信号の少なくともいずれかであることを特徴とする請求項１に記載の映像音声機器。
【請求項３】
前記保存部に保存されたコンテンツの映像信号および／または音声信号を前記表示部および／または前記音声出力部に出力後、前記検出部が子供が泣いていないことを検出すると、前記制御部は当該コンテンツにフラグを付加し、
前記制御部は前記保存部に保存されたコンテンツのうち前記フラグが付加されたコンテンツの映像信号および／または音声信号を優先的に前記表示部および／または前記音声出力部に出力することを特徴とする請求項２に記載の映像音声機器。
【請求項４】
テレビ放送番組の映像信号および音声信号を前記表示部および前記音声出力部に出力後、前記検出部が子供が泣いていないことを検出すると、前記制御部は当該テレビ放送番組の番組情報を保存部に保存させ、
前記制御部は前記保存部に保存された番組情報のテレビ放送番組の映像信号および音声信号を優先的に前記表示部および前記音声出力部に出力することを特徴とする請求項２または請求項３に記載の映像音声機器。
【請求項５】
テレビ放送番組の映像信号および音声信号を前記表示部および前記音声出力部に出力後、前記検出部が子供が泣いていないことを検出すると、前記制御部は当該テレビ放送番組の映像信号および音声信号をコンテンツとしてフラグを付加して前記保存部に保存させ、
前記制御部は前記保存部に保存されたコンテンツのうち前記フラグが付加されたコンテンツの映像信号および音声信号を優先的に前記表示部および前記音声出力部に出力することを特徴とする請求項２〜請求項４のいずれかに記載の映像音声機器。
【請求項６】
ラジオ放送番組の音声信号を前記音声出力部に出力後、前記検出部が子供が泣いていないことを検出すると、前記制御部は当該ラジオ放送番組の番組情報を保存部に保存させ、
前記制御部は前記保存部に保存された番組情報のラジオ放送番組の音声信号を優先的に前記音声出力部に出力することを特徴とする請求項２〜請求項５のいずれかに記載の映像音声機器。
【請求項７】
ラジオ放送番組の音声信号を前記音声出力部に出力後、前記検出部が子供が泣いていないことを検出すると、前記制御部は当該ラジオ放送番組の音声信号をコンテンツとしてフラグを付加して前記保存部に保存させ、
前記制御部は前記保存部に保存されたコンテンツのうち前記フラグが付加されたコンテンツの音声信号を優先的に前記音声出力部に出力することを特徴とする請求項２〜請求項６のいずれかに記載の映像音声機器。
【請求項８】
前記制御部を有した車載ナビゲーション装置を備え、
前記表示部は車両後部座席から視認可能に車両に設けられることを特徴とする請求項１〜請求項７のいずれかに記載の映像音声機器。
【発明の詳細な説明】
【技術分野】
【０００１】
本発明は、泣き出した子供をあやすことを目的とする映像音声機器（映像表示、音声出力の少なくともいずれかの機能を有する機器）に関する。
【背景技術】
【０００２】
従来、子供を後部座席に乗せて車両の運転を行うことがあるが、このようなとき運転者が子供の様子を確認したい場合がある。そこで、従来、例えば特許文献１には、後部の座席ごとに子供が着座しているか否かを判定し、子供が着座している座席のみ撮影して表示するモニタ装置が開示されている。このようなモニタ装置によれば、子供の様子を表示するための領域を必要最小限の広さにすることができるとしている。
【先行技術文献】
【特許文献】
【０００３】
【特許文献１】特開２００８−２２１９８９号公報
【発明の概要】
【発明が解決しようとする課題】
【０００４】
しかし、子供が泣いている場合、上記特許文献１のモニタ装置では子供の泣いている様子を確認することはできるが、大人が一人である場合や、大人が複数いる場合でもすぐに後部座席に移動して子供をあやすことができない場合があるという問題があった。
【０００５】
上記問題点を鑑み、本発明は、子供が泣き出した場合に大人の手を煩わせることなく子供を泣き止ますことができ利便性の高い映像音声機器を提供することを目的とする。
【課題を解決するための手段】
【０００６】
上記目的を達成するために本発明の映像音声機器は、表示部および音声出力部の少なくともいずれかと、子供が泣いているか否かを検出する検出部とを備えた映像音声機器において、
前記検出部が子供が泣いていることを検出すると、前記検出部が子供が泣いていないことを検出するまで映像信号および／または音声信号を順次切替えて前記表示部および／または前記音声出力部に出力する制御を行う制御部を備えた構成とする。
【０００７】
このような構成によれば、子供が泣き出した場合でも子供が泣き止むまで映像が表示されたり音声が出力されたりするので、大人の手を煩わせることなく子供を泣き止ますことができ利便利の高いものとなる。
【０００８】
また、上記構成において、前記映像信号および／または前記音声信号は、保存部に保存されたコンテンツの映像信号および／または音声信号か、テレビ放送番組の映像信号および音声信号か、ラジオ放送番組の音声信号の少なくともいずれかであってもよい。
【０００９】
また、上記構成において、前記保存部に保存されたコンテンツの映像信号および／または音声信号を前記表示部および／または前記音声出力部に出力後、前記検出部が子供が泣いていないことを検出すると、前記制御部は当該コンテンツにフラグを付加し、
前記制御部は前記保存部に保存されたコンテンツのうち前記フラグが付加されたコンテンツの映像信号および／または音声信号を優先的に前記表示部および／または前記音声出力部に出力する構成としてもよい。
【００１０】
このような構成によれば、フラグを付加したコンテンツは子供が泣き止んだ実績があるので、優先的にそのコンテンツの映像を表示したり音声を出力したりすることで、子供が泣き止むまでの時間を短縮することができる。
【００１１】
また、上記いずれかの構成において、テレビ放送番組の映像信号および音声信号を前記表示部および前記音声出力部に出力後、前記検出部が子供が泣いていないことを検出すると、前記制御部は当該テレビ放送番組の番組情報を保存部に保存させ、
前記制御部は前記保存部に保存された番組情報のテレビ放送番組の映像信号および音声信号を優先的に前記表示部および前記音声出力部に出力する構成としてもよい。
【００１２】
このような構成によれば、子供が泣き止んだ実績のあるテレビ放送番組の番組情報を保存し、優先的にその番組情報のテレビ放送番組の映像を表示し音声を出力することで、子供が泣き止むまでの時間を短縮することができる。
【００１３】
また、上記いずれかの構成において、テレビ放送番組の映像信号および音声信号を前記表示部および前記音声出力部に出力後、前記検出部が子供が泣いていないことを検出すると、前記制御部は当該テレビ放送番組の映像信号および音声信号をコンテンツとしてフラグを付加して前記保存部に保存させ、
前記制御部は前記保存部に保存されたコンテンツのうち前記フラグが付加されたコンテンツの映像信号および音声信号を優先的に前記表示部および前記音声出力部に出力する構成としてもよい。
【００１４】
このような構成によれば、子供が泣き止んだ実績のあるテレビ放送番組の映像信号および音声信号をフラグを付加してコンテンツとして保存し、優先的にフラグを付加したコンテンツの映像を表示し音声を出力することで、子供が泣き止むまでの時間を短縮することができる。
【００１５】
また、上記いずれかの構成において、ラジオ放送番組の音声信号を前記音声出力部に出力後、前記検出部が子供が泣いていないことを検出すると、前記制御部は当該ラジオ放送番組の番組情報を保存部に保存させ、
前記制御部は前記保存部に保存された番組情報のラジオ放送番組の音声信号を優先的に前記音声出力部に出力する構成としてもよい。
【００１６】
このような構成によれば、子供が泣き止んだ実績のあるラジオ放送番組の番組情報を保存し、優先的にその番組情報のラジオ放送番組の音声を出力することで、子供が泣き止むまでの時間を短縮することができる。
【００１７】
また、上記いずれかの構成において、ラジオ放送番組の音声信号を前記音声出力部に出力後、前記検出部が子供が泣いていないことを検出すると、前記制御部は当該ラジオ放送番組の音声信号をコンテンツとしてフラグを付加して前記保存部に保存させ、
前記制御部は前記保存部に保存されたコンテンツのうち前記フラグが付加されたコンテンツの音声信号を優先的に前記音声出力部に出力する構成としてもよい。
【００１８】
このような構成によれば、子供が泣き止んだ実績のあるラジオ放送番組の音声信号をフラグを付加してコンテンツとして保存し、優先的にフラグを付加したコンテンツの音声を出力することで、子供が泣き止むまでの時間を短縮することができる。
【００１９】
また、上記いずれかの構成において、前記制御部を有した車載ナビゲーション装置を備え、前記表示部は車両後部座席から視認可能に車両に設けられる構成としてもよい。
【００２０】
このような構成によれば、ナビゲーション機能を有すると共に、車両後部座席に座った子供が泣き出した場合でも、運転席や助手席に座った大人が子供のそばに移動しなくても子供を泣き止ますことができ利便性が高いものとなる。
【発明の効果】
【００２１】
本発明の映像音声機器によれば、子供が泣き出した場合に大人の手を煩わせることなく子供を泣き止ますことができ利便性の高いものとなる。
【図面の簡単な説明】
【００２２】
【図１】本発明の一実施形態である映像音声システムの概略構成図である。
【図２】本発明の映像音声システムにおける動作フローを示すフローチャートである。
【図３】本発明に係る保存コンテンツ再生処理を示すフローチャートである。
【図４】本発明に係るテレビ受信処理を示すフローチャートである。
【図５】本発明に係るラジオ受信処理を示すフローチャートである。
【発明を実施するための形態】
【００２３】
以下に本発明の実施形態を図面を参照して説明する。本発明に係る映像音声機器の一実施形態としての映像音声システムの概略構成を図１に示す。図１に示す映像音声システムは、車載ナビゲーション装置１００と、それに接続された映像表示装置３０、音声出力装置３５、子供検出センサ４０並びに泣き声検出センサ４５を備えており、車両に搭載されるものである。
【００２４】
図１に示すように、車載ナビゲーション装置１００は、ＤＴＶチューナ部１と、デコード部２と、ＦＭチューナ部３と、ＦＭ復調部４と、表示部５と、音声出力部６と、映像信号出力部７と、音声信号出力部８と、操作部９と、通信部１０と、保存部１１と、外部インタフェース１２と、制御部１３と、を備えており、車両の運転席と助手席との間の位置においてダッシュボードに設けられる。なお、図示はしていないが車載ナビゲーション装置１００は、当然に現在位置検出部や地図記憶部を備えており、自車位置に応じた地図表示機能や経路探索機能を有している。
【００２５】
ＤＴＶチューナ部１は、車両に設けられたアンテナ２０から入力される地上デジタル放送信号を選局・復調しトランスポートストリームを取り出す。デコード部２は、トランスポートストリームから映像データ・音声データを抽出しデコードすることで、デジタル映像信号およびデジタル音声信号を出力する。また、デコード部２は、番組情報等のデータもトランスポートストリームから抽出しデコードすることができる。
【００２６】
ＦＭチューナ部３は、車両に設けられたアンテナ２５から入力されるＦＭラジオ放送信号を選局し中間周波数信号を出力する。ＦＭ復調部４は、中間周波数信号を復調し音声信号を取り出す。
【００２７】
表示部５は、地図画像や最適経路画像等、各種画像を表示して使用者が視認できるようにするためのものであり、液晶ディスプレイ等で構成される。
【００２８】
音声出力部６は、経路案内における案内報知等、各種音声報知を行うものでありスピーカ等で構成され、音声は車両前方から出力される。
【００２９】
操作部９は、ハードキーおよびタッチパネルを含み、ユーザの操作による操作信号を出力する。
【００３０】
保存部１１は、放送録画ファイル、静止画像ファイル、音声ファイル、アプリケーション等のコンテンツを保存可能であり、ハードディスクや半導体メモリ等から構成される。
【００３１】
外部インタフェース１２は、ＵＳＢメモリやメモリカード等の外部メディアを接続可能であり、外部メディアから外部インタフェース１２を介して保存部１１にコンテンツを保存可能である。
【００３２】
制御部１３は、マイクロコンピュータを中心に構成され、車載ナビゲーション装置１００の各部を制御する。
【００３３】
映像表示装置３０は、映像信号出力部７が出力する映像信号に基づきコンテンツ映像、放送映像等を表示するもので、液晶ディスプレイ等で構成され、車両後部座席から視認できるよう例えば、運転席か助手席の背面に設けられる。
【００３４】
音声出力装置３５は、音声信号出力部８が出力する音声信号に基づき放送音声、コンテンツ音声等を出力するもので、スピーカ等から構成され、車両後部座席から音声が聴こえるよう例えば、運転席か助手席の背面に設けられる。
【００３５】
子供検出センサ４０は、例えば赤外線センサを有し、赤外線センサが出力する後部座席の温度分布情報に基づき後部座席に乗っている人の体型を推定し、後部座席に子供が乗っているか否かを判定し、後部座席に子供が乗っているか否かの情報を通信部１０を介して制御部１３に送信する。なお、子供検出センサ４０は、重量センサを有し、検出された重量に基づき後部座席に子供が乗っているか否かを判定してもよい。
【００３６】
泣き声検出センサ４５は、マイクにより得られた音声信号を解析して子供の泣き声が発生しているか否かを判定し、その判定結果を通信部１０を介して制御部１３に送信する。なお、泣き声検出センサ４５に代えて、後部座席をカメラにより撮影し撮影画像データを解析して子供の泣き顔を検出するセンサを設けるようにしてもよい。
【００３７】
次に、以上のような構成である本発明に係る映像音声システムの動作について図２〜図５に示すフローチャートに沿って説明する。なお、以下の処理は定期的に行われるものとする。
【００３８】
処理が開始されると、まずステップＳ１（図２）で、制御部１３は、通信部１０を介して子供検出センサ４０から受信した検出情報に基づき後部座席に子供が座っているか否かを判定する。もし子供が座っていなければ（ステップＳ１のＮ）、そのまま処理終了となるが（エンド）、子供が座っていれば（ステップＳ１のＹ）、ステップＳ２に進む。
【００３９】
ステップＳ２で、制御部１３は、通信部１０を介して泣き声検出センサ４５から受信した検出情報に基づき子供が泣いているか否かを判定する。もし子供が泣いていなければ（ステップＳ２のＮ）、そのまま処理終了となるが（エンド）、子供が泣いていれば（ステップＳ２のＹ）、ステップＳ３に進む。
【００４０】
ステップＳ３で、制御部１３は、保存部１１にコンテンツが保存されているか否かを判定し、もし保存されていれば（ステップＳ３のＹ）、ステップＳ４の保存コンテンツ再生処理に進む。保存コンテンツ再生処理を図３に示す。なお、ステップＳ３で、コンテンツが保存されていないと判定された場合は（ステップＳ３のＮ）、後述するステップＳ５のテレビ受信処理に進む。
【００４１】
保存コンテンツ再生処理が開始されると、まずステップＳ３０で、制御部１３は、お気に入りフラグが付加されたコンテンツが保存されているか否かを判定する。もしお気に入りフラグが付加されたコンテンツが保存されていれば（ステップＳ３０のＹ）、ステップＳ３１に進み、制御部１３は、お気に入りフラグが付加された一つのコンテンツの映像信号および音声信号を映像信号出力部７および音声信号出力部８を介して映像表示装置３０および音声出力装置３５に出力し、映像表示装置３０にコンテンツ映像を表示させ、音声出力装置３５にコンテンツ音声を出力させる。なお、コンテンツが静止画像ファイルの場合は、当然に音声信号出力はせず、コンテンツが音声ファイルの場合は、当然に映像信号出力はせず、以下同様である。
【００４２】
そして、ステップＳ３２で、制御部１３は、通信部１０を介して泣き声検出センサ４５から受信した検出情報に基づき子供が泣いているか否かを判定し、もし子供が泣いていれば（ステップＳ３２のＹ）、ステップＳ３３に進み、制御部１３は、お気に入りフラグが付加されたコンテンツを全て再生したか否かを判定する。全てを再生していなければ（ステップＳ３３のＮ）、ステップＳ３１に戻り、お気に入りフラグが付加された次のコンテンツを再生する。そして、ステップＳ３２で、子供が泣いていないと判定されれば（ステップＳ３２のＮ）、図２の処理終了となる（エンド）（２番の場合）。
【００４３】
また、ステップＳ３３で、お気に入りフラグが付加されたコンテンツを全て再生したと判定されれば（ステップＳ３３のＹ）、ステップＳ３４に進む。なお、ステップＳ３０で、お気に入りフラグが付加されたコンテンツが保存されていないと判定された場合も（ステップＳ３０のＮ）、ステップＳ３４に進む。ステップＳ３４で、制御部１３は、お気に入りフラグが付加されていないコンテンツが保存部１１に保存されているか否かを判定し、もし保存されていれば（ステップＳ３４のＹ）、ステップＳ３５に進み、制御部１３は、お気に入りフラグが付加されていない一つのコンテンツの映像信号および音声信号を映像信号出力部７および音声信号出力部８を介して映像表示装置３０および音声出力装置３５に出力し、映像表示装置３０にコンテンツ映像を表示させ、音声出力装置３５にコンテンツ音声を出力させる。
【００４４】
そして、ステップＳ３６で、制御部１３は、通信部１０を介して泣き声検出センサ４５から受信した検出情報に基づき子供が泣いているか否かを判定し、もし子供が泣いていれば（ステップＳ３６のＹ）、ステップＳ３７に進み、制御部１３は、お気に入りフラグが付加されていないコンテンツを全て再生したか否かを判定する。全てを再生していなければ（ステップＳ３７のＮ）、ステップＳ３５に戻り、お気に入りフラグが付加されていない次のコンテンツを再生する。そして、ステップＳ３６で、子供が泣いていないと判定されれば（ステップＳ３６のＮ）、ステップＳ３８に進み、制御部１３は、再生したコンテンツにお気に入りフラグを付加する。そして、図２の処理終了となる（エンド）（２番の場合）。
【００４５】
また、ステップＳ３７で、お気に入りフラグが付加されていないコンテンツを全て再生したと判定された場合は（ステップＳ３７のＹ）、図２のステップＳ５のテレビ受信処理に進む（１番の場合）。
【００４６】
なお、ステップＳ３４で、お気に入りフラグが付加されていないコンテンツが保存されていないと判定された場合は（ステップＳ３４のＮ）、図２のステップＳ５のテレビ受信処理に進む（１番の場合）。
【００４７】
ステップＳ５のテレビ受信処理（図２）を図４に示す。テレビ受信処理が開始されると、まずステップＳ４０で、制御部１３は、テレビ番組情報が保存部１１に保存されているか否かを判定し、もし保存されていれば（ステップＳ４０のＹ）、ステップＳ４１に進む。ここで、テレビ番組情報は、放送チャンネルと番組名とを含んでいる。ステップＳ４１で、制御部１３は、保存された放送チャンネルのチャンネルをＤＴＶチューナ部１に選局させ、デコード部２から番組情報を取得する。この番組情報は、選局した放送局の番組情報となる。そして、ステップＳ４２に進み、制御部１３は、取得した番組情報において現在時刻に対応する番組名を特定し、特定した番組名と保存された番組名とが一致するか否かを判定する。もし番組名が一致した場合は（ステップＳ４２のＹ）、ステップＳ４３に進み、制御部１３は、デコード部２が出力する映像信号および音声信号を映像信号出力部７および音声信号出力部８を介して映像表示装置３０および音声出力装置３５に出力し、映像表示装置３０にテレビ番組映像を表示させ、音声出力装置３５にテレビ番組音声を出力させる。
【００４８】
そして、ステップ４４で、制御部１３は、通信部１０を介して泣き声検出センサ４５から受信した検出情報に基づき子供が泣いているか否かを判定し、もし子供が泣いていなければ（ステップＳ４４のＮ）、図２の処理終了となる（エンド）（３番の場合）。
【００４９】
また、子供が泣いていれば（ステップＳ４４のＹ）、ステップＳ４５に進む。なお、ステップＳ４２で、番組名が一致しなかった場合も（ステップＳ４２のＮ）、ステップＳ４５に進む。ステップＳ４５で、制御部１３は、保存されたテレビ番組情報の全てについて実行したか否かを判定する。保存されたテレビ番組情報の全てについて実行していない場合は（ステップＳ４５のＮ）、次の保存されたテレビ番組情報についてステップＳ４１を実行する。
【００５０】
また、ステップＳ４５で、保存されたテレビ番組情報の全てについて実行したと判定されれば（ステップＳ４５のＹ）、ステップＳ４６に進み、制御部１３は、未だ選局していないチャンネルが有るか否かを判定する。もし選局していないチャンネルがあれば（ステップＳ４６のＹ）、ステップＳ４７に進み、制御部１３は、選局していないチャンネルをＤＴＶチューナ部１に選局させ、デコード部２が出力する映像信号および音声信号を映像信号出力部７および音声信号出力部８を介して映像表示装置３０および音声出力装置３５に出力し、映像表示装置３０にテレビ番組映像を表示させ、音声出力装置３５にテレビ番組音声を出力させる。
【００５１】
そして、ステップＳ４８で、制御部１３は、通信部１０を介して泣き声検出センサ４５から受信した検出情報に基づき子供が泣いているか否かを判定し、もし子供が泣いていれば（ステップＳ４８のＹ）、ステップＳ４６に戻る。また、子供が泣いていなければ（ステップＳ４８のＮ）、ステップＳ４９に進み、制御部１３は、選局チャンネルおよび選局により取得した番組情報に含まれる現在時刻の番組名をテレビ番組情報として保存部１１に保存させると共に、この際、録画ファイルにお気に入りフラグも付加する。その後、図２の処理終了となる（エンド）（３番の場合）。ここでフラグを付加されて保存された録画ファイルは、保存コンテンツ再生処理（図３）において優先的に再生されることとなる。
【００５２】
また、ステップＳ４６で、選局していないチャンネルがないと判定されれば（ステップＳ４６のＮ）、図２のステップＳ６のラジオ受信処理に進む（４番の場合）。ステップＳ６のラジオ受信処理を図５に示す。
【００５３】
ラジオ受信処理が開始されると、まずステップＳ５０で、制御部１３は、ラジオ番組情報が保存部１１に保存されているか否かを判定し、もし保存されていれば（ステップＳ５０のＹ）、ステップＳ５１に進む。ここで、ラジオ番組情報は、放送周波数と時間帯とを含む。ステップＳ５１で、制御部１３は、現在時刻が保存されたラジオ番組情報の時間帯に属するか否かを判定し、属する場合は（ステップＳ５１のＹ）、ステップＳ５２に進む。ステップＳ５２で、制御部１３は、保存されたラジオ番組情報の放送周波数をＦＭチューナ部３に選局させ、ＦＭ復調部４が出力する音声信号を音声信号出力部８を介して音声出力装置３５に出力し、音声出力装置３５にラジオ番組音声を出力させる。
【００５４】
そして、ステップＳ５３で、制御部１３は、通信部１０を介して泣き声検出センサ４５から受信した検出情報に基づき子供が泣いているか否かを判定し、もし子供が泣いていなければ（ステップＳ５３のＮ）、図２の処理終了となる（エンド）。
【００５５】
一方、子供が泣いていれば（ステップＳ５３のＹ）、ステップＳ５４に進む。なお、ステップＳ５１で、現在時刻が保存されたラジオ番組情報の時間帯に属さないと判定された場合も（ステップＳ５１のＮ）、ステップＳ５４に進む。ステップＳ５４で、制御部１３は、保存されたラジオ番組情報の全てについて実行したか否かを判定し、全てについて実行していなければ（ステップＳ５４のＮ）、次の保存されたラジオ番組情報についてステップＳ５１を実行する。
【００５６】
また、ステップＳ５４で、保存されたラジオ番組情報の全てについて実行したと判定された場合は（ステップＳ５４のＹ）、ステップＳ５５に進み、制御部１３は、未だ選局していない放送周波数が有るか否かを判定する。もし有る場合は（ステップＳ５５のＹ）、ステップＳ５６に進み、制御部１３は、選局していない放送周波数をＦＭチューナ部３に選局させ、ＦＭ復調部４が出力する音声信号を音声信号出力部８を介して音声出力装置３５に出力し、音声出力装置３５にラジオ番組音声を出力させる。
【００５７】
そして、ステップＳ５７で、制御部１３は、通信部１０を介して泣き声検出センサ４５から受信した検出情報に基づき子供が泣いているか否かを判定し、もし子供が泣いている場合は（ステップＳ５７のＹ）、ステップＳ５５に戻る。一方、子供が泣いていない場合は（ステップＳ５７のＮ）、ステップＳ５８に進み、制御部１３は、選局した放送周波数および現在時刻が属する時間帯をラジオ番組情報として保存部１１に保存させると共に、ＦＭ復調部４が出力する音声信号を音声ファイルとして保存部１１に保存させる。この際、音声ファイルにお気に入りフラグも付加する。その後、図２の処理終了となる（エンド）。ここでフラグを付加されて保存された音声ファイルは、保存コンテンツ再生処理（図３）において優先的に再生されることとなる。
【００５８】
なお、ステップＳ５５で、選局していない放送周波数がないと判定された場合は（ステップＳ５５のＮ）、図２の処理終了となる（エンド）。
【００５９】
以上のように、本発明の映像音声システムでは、子供が後部座席に座っており、かつ、子度が泣いていることが検出されると、子供が泣いていないことが検出されるまで保存されたコンテンツを順次再生するので、車両の運転席や助手席に座った大人が子供のそばに移動しなくても子供を泣き止ますことができ利便性が高い。また、子供が泣いていないことが検出された場合、コンテンツにお気に入りフラグを付加し、お気に入りフラグが付加されたコンテンツを優先的に再生するので、子供が泣き止むまでの時間を短縮することができる。
【００６０】
また、コンテンツ再生で子供が泣き止まない場合は、子供が泣いていないことが検出されるまで順次放送局を選局しテレビ番組映像音声を出力するので、大人が子供のそばに移動しなくても子供を泣き止ますことができる。また、子供が泣いていないことが検出された場合、テレビ番組情報が保存され、保存されたテレビ番組情報のチャンネルが優先的に選局され番組映像音声が出力されるので、子供が泣きやむまでの時間を短縮することができる。また、子供が泣いていないことが検出された場合、番組の録画ファイルをお気に入りフラグを付加して保存するので、保存した録画ファイルをコンテンツとして優先的に再生することができ、子供が泣き止むまでの時間を短縮できる。
【００６１】
また、テレビ放送番組の視聴でも子供が泣きやまない場合は、子供が泣いていないことが検出されるまで順次放送局を選局しラジオ番組音声を出力するので、大人が子供のそばに移動しなくても子供を泣き止ますことができる。また、子供が泣いていないことが検出された場合、ラジオ番組情報が保存され、保存されたラジオ番組情報の放送周波数が優先的に選局され番組音声が出力されるので、子供が泣きやむまでの時間を短縮することができる。また、子供が泣いていないことが検出された場合、番組の音声ファイルをお気に入りフラグを付加して保存するので、保存した音声ファイルをコンテンツとして優先的に再生することができ、子供が泣き止むまでの時間を短縮できる。
【００６２】
以上、本発明の実施形態について説明したが、本発明の趣旨の範囲内であれば、実施形態は種々変更が可能である。
【００６３】
例えば、上記実施形態では、映像表示装置３０および音声出力装置３５を車両後部座席に座った子供が視聴できるよう設けたが、助手席に座った子供を対象とする場合、車載ナビゲーション装置１００の表示部５および音声出力部６を利用すればよく、映像表示装置３０、音声出力装置３５、映像信号出力部７並びに音声信号出力部８は不要である。この場合、表示部５の表示領域のうち所定の部分領域を子供用の表示に使用すればよい。
【００６４】
また、ラジオ放送についてはアナログ放送のみならず、デジタル放送のラジオ放送にも本発明は適用してもよい。
【００６５】
また、本発明の映像音声機器は、コンテンツ再生機能、テレビ放送受信機能、ラジオ放送受信機能の少なくともいずれかを有していてもよい。
【００６６】
また、本発明の映像音声機器は、車両搭載用のみならず、例えば、家庭における子供用ベッドに搭載できるようにしてもよい。これにより、大人が別の部屋に居たような場合でも、大人が子供のそばまで行かなくても子供を泣き止ますことができる。
【符号の説明】
【００６７】
１      ＤＴＶチューナ部
２      デコード部
３      ＦＭチューナ部
４      ＦＭ復調部
５      表示部
６      音声出力部
７      映像信号出力部
８      音声信号出力部
９      操作部
１０    通信部
１１    保存部
１２    外部インタフェース
１３    制御部
２０    アンテナ
２５    アンテナ
３０    映像表示装置
３５    音声出力装置
４０    子供検出センサ
４５    泣き声検出センサ
１００    車載ナビゲーション装置
【図１】
2012061933.tif 000003
【図２】
2012061933.tif 000004
【図３】
2012061933.tif 000005
【図４】
2012061933.tif 000006
【図５】
2012061933.tif 000007